(57)【要約】  【課題】  地上波アナログテレビ放送の放送電波をスマートアンテナで受信するものであって、きれいな映像を受信できる電波の受信方向を迅速に検索する。  【解決手段】  受信チャンネルごとに水平同期信号を獲得し、アレイアンテナｓ１〜ｓ１６で水平同期信号を連続して獲得できた領域の中心角を二等分する方向を前記受信チャンネルでの電波の受信方向とする。  【選択図】      図３
2005354435.tif 000002
【特許請求の範囲】
【請求項１】
３６０°全方向に対して電波の受信方向を切り替えることができるスマートアンテナを
介してチューナ部より地上波アナログテレビ放送の放送電波を受信、復調し、前記チュー
ナ部で受信、復調し、デコーダ部にて復号化して映像及び音声の信号を表示装置に出力す
る受信装置において、は各種情報を格納する記憶部と、制御部とを備えており、
前記スマートアンテナは放射状に等中心角度間隔で配置される１６個のアレイアンテナ
を有し、
前記受信装置は制御部を備えており、前記制御部は受信チャンネルを切り替え、該各受
信チャンネルごとに前記１６方向に配置されたアレイアンテナで順次水平同期信号を獲得
し、前記アレイアンテナで前記水平同期信号を連続して獲得できた領域の中心角を二等分
する方向を前記受信チャンネルでの電波の受信方向とするものであり、前記水平同期信号
を連続して獲得できる領域が２箇所以上存在するときは、最も大きな中心角を二等分する
方向を前記受信チャンネルでの電波の受信方向とすることを特徴とする受信装置。
【請求項２】
３６０°全方向に対して電波の受信方向を切り替えることができるスマートアンテナを
介してチューナ部より地上波アナログテレビ放送の放送電波を受信、復調し、前記チュー
ナ部で受信、復調し、デコーダ部にて復号化して映像及び音声の信号を表示装置に出力す
る受信装置において、
前記スマートアンテナは放射状に配置される複数個のアレイアンテナを有し、
前記受信装置は制御装置を備えており、前記制御部は受信チャンネルを切り替え、各受
信チャンネルごとに前記各アレイアンテナで順次水平同期信号を獲得し、前記アレイアン
テナで前記水平同期信号を連続して獲得できた領域の中心角を二等分する方向を前記受信
チャンネルでの電波の受信方向とするものであり、前記水平同期信号を連続して獲得でき
る領域が２箇所以上存在するときは、最も大きな中心角を二等分する方向を前記受信チャ
ンネルでの電波の受信方向とすることを特徴とする受信装置。
【請求項３】
３６０°全方向に対して電波の受信方向を切り替えることができるスマートアンテナを
介してチューナ部より地上波アナログテレビ放送の放送電波を受信、復調し、前記チュー
ナ部で受信、復調し、デコーダ部にて復号化して映像及び音声の信号を表示装置に出力す
る受信装置におけるスマートアンテナの受信方向の検索方法において、
受信チャンネルを切り替え、該各受信チャンネルごとに等中心角度間隔で１６方向の水
平同期信号を獲得し、前記アレイアンテナで前記水平同期信号を連続して獲得できた領域
の中心角を二等分する方向を前記受信チャンネルでの電波の受信方向とするものであり、
前記水平同期信号を連続して獲得できる領域が２箇所以上存在するときは、最も大きな中
心角を二等分する方向を前記受信チャンネルでの電波の受信方向とすることを特徴とする
スマートアンテナの受信方向の検索方法。
【請求項４】
３６０°全方向に対して電波の受信方向を切り替えることができるスマートアンテナを
介してチューナ部より地上波アナログテレビ放送の放送電波を受信、復調し、前記チュー
ナ部で受信、復調し、デコーダ部にて復号化して映像及び音声の信号を表示装置に出力す
る受信装置におけるスマートアンテナの受信方向の検索方法において、
受信チャンネルを切り替え、該各受信チャンネルごとに等中心角度間隔で複数の方向の
水平同期信号を獲得し、前記アレイアンテナで前記水平同期信号を連続して獲得できた領
域の中心角を二等分する方向を前記受信チャンネルでの電波の受信方向とするものであり
、前記水平同期信号を連続して獲得できる領域が２箇所以上存在するときは、最も大きな
中心角を二等分する方向を前記受信チャンネルでの電波の受信方向とすることを特徴とす
るスマートアンテナの受信方向の検索方法。
【発明の詳細な説明】
【技術分野】
【０００１】
本発明は、スマートアンテナの受信方向を決定することができる受信装置及びこれに用
いるスマートアンテナの受信方向の検索方法に関するものである。
【背景技術】
【０００２】
従来、地上波テレビ放送を受信するチューナ装置やテレビ受像機等の受信装置において
、電波の受信方向を設定する場合、各受信チャンネルごとにアンテナの方向を調整する。
このとき、前記受信チャンネルの電波を受信しつつアンテナの方向を少しずつ換えて、水
平同期信号（Ｈ−ＳＹＮＣ）を受信すると共に、電波の強度と対応するＡＧＣ電圧を測定
し電波の強度が高い方向を探し、その後、表示画面を見ながら電波の受信方向を微調整す
る。
【０００３】
上述するようにアンテナの調整を行う場合、特殊な調整用の装置が必要であり、また、
家の屋根等の高所に上っての作業になるので危険が伴う。また、各受信チャンネルごとに
調整が必要であり、全ての受信チャンネルに対して行わなくてはならず、時間も手間もか
かる。
【０００４】
そこで、スマートアンテナを利用した地上波の受信が注目されている。スマートアンテ
ナは、それには限定されないが例えば、複数のアレイアンテナが放射状にそれぞれ等中心
角度間隔で配置されているものであり、各アレイアンテナを電気的に選択することで、電
波の受信方向を３６０°変化させることができるものである。
【０００５】
このスマートアンテナを利用することで、高所での作業は取り付けのみで、その後は、
電気的な切り替えで電波の受信方向を決定できる。これにより、アンテナ調整の手間も、
時間も大幅に減少させることができる。また、テレビ局がアンテナに対して分散している
場合でも、各方向に対してアレイアンテナを立てる必要がなく、それだけ、アンテナのコ
ストを低減することが可能である。
【特許文献１】特開平7−7442号公報
【特許文献２】特開平11−298226号公報
【発明の開示】
【発明が解決しようとする課題】
【０００６】
前記スマートアンテナの電波の受信方向を決定する場合、受信チャンネルごとに前記ア
レイアンテナを順次切り替えて水平同期信号を獲得すると共に、ＡＧＣ電圧を測定するこ
とで、水平同期信号を獲得できると共に、受信方向を信号強度の強い方向に決定していた
。
【０００７】
しかしながら、ＡＧＣ電圧の値が安定するには長い時間が必要であり、各受信チャンネ
ルに対して、各アレイアンテナごとにＡＧＣ電圧を測定して受信方向を決定していると電
波の受信方向の設定に膨大な時間が必要である。また、ＡＧＣ電圧は信号の強度に対応し
たものであり、受信した映像のきれいさと必ずしも一致するものではない。
【０００８】
そこで本発明は、地上波アナログテレビ放送の放送電波をスマートアンテナで受信する
ものであって、きれいな映像を受信できる電波の受信方向を迅速に検索することができる
受信装置及びスマートアンテナの受信方向の検索方法を提供することを目的とする。
【課題を解決するための手段】
【０００９】
上記目的を達成するために請求項１の発明は、３６０°全方向に対して電波の受信方向
を切り替えることができるスマートアンテナを介してチューナ部より地上波アナログテレ
ビ放送の放送電波を受信、復調し、前記チューナ部で受信、復調し、デコーダ部にて復号
化して映像及び音声の信号を表示装置に出力する受信装置において、は各種情報を格納す
る記憶部と、制御部とを備えており、
前記スマートアンテナは放射状に等中心角度間隔で配置される１６個のアレイアンテナ
を有し、前記受信装置は制御部を備えており、前記制御部は受信チャンネルを切り替え、
該各受信チャンネルごとに前記１６方向に配置されたアレイアンテナで順次水平同期信号
を獲得し、前記アレイアンテナで前記水平同期信号を連続して獲得できた領域の中心角を
二等分する方向を前記受信チャンネルでの電波の受信方向とするものであり、前記水平同
期信号を連続して獲得できる領域が２箇所以上存在するときは、最も大きな中心角を二等
分する方向を前記受信チャンネルでの電波の受信方向とすることを特徴とする受信装置を
提供する。
【００１０】
この構成によると、スマートアンテナの電波の受信方向を決定するのに１６個のアレイ
アンテナそれぞれで水平同期信号が獲得できるか否かを調べていき、その水平同期信号を
連続して獲得できた領域の中心角の二等分する方向を電波の受信方向とするものであり、
各受信チャンネルの電波の受信方向を迅速に決定することができる。
【００１１】
水平同期信号は放送電波に含まれているものであり、水平同期信号が広い範囲で獲得で
きる方向に電波の発信部があると考えても問題なく、その中心を電波の受信方向とするこ
とである程度きれいな映像を受信することができる。
【００１２】
また、水平同期信号が連続して獲得できた領域が複数ある場合、その獲得できた領域の
中心角度が大きい方の中心角を二等分する方向を電波の受信方向とするので、水平同期信
号がいろんなアレイアンテナで獲得できても迅速に電波の受信方向を決定することができ
る。
【００１３】
また、上記目的を達成するために請求項２の発明は、３６０°全方向に対して電波の受
信方向を切り替えることができるスマートアンテナを介してチューナ部より地上波アナロ
グテレビ放送の放送電波を受信、復調し、前記チューナ部で受信、復調し、デコーダ部に
て復号化して映像及び音声の信号を表示装置に出力する受信装置において、前記受信装置
は制御装置を備えており、前記制御部は受信チャンネルを切り替え、各受信チャンネルご
とに前記各アレイアンテナで順次水平同期信号を獲得し、前記アレイアンテナで前記水平
同期信号を連続して獲得できた領域の中心角を二等分する方向を前記受信チャンネルでの
電波の受信方向とするものであり、前記水平同期信号を連続して獲得できる領域が２箇所
以上存在するときは、最も大きな中心角を二等分する方向を前記受信チャンネルでの電波
の受信方向とすることを特徴とする受信装置を提供する。
【００１４】
この構成によると、前記スマートアンテナの電波の受信方向を決定するのに複数のアレ
イアンテナそれぞれで水平同期信号が獲得できるか否かを調べていき、その水平同期信号
を連続して獲得できた領域の中心角の二等分する方向を電波の受信方向とするものであり
、各受信チャンネルの電波の受信方向を迅速に決定することができる。
【００１５】
前記水平同期信号は放送電波に含まれているものであり、前記水平同期信号が広い範囲
で獲得できる方向に電波の発信部があると考えても問題なく、その中心を電波の受信方向
とすることである程度きれいな映像を受信することができる。
【００１６】
また、水平同期信号が連続して獲得できた領域が複数ある場合、その獲得できた領域の
中心角度が大きい方の中心角を二等分する方向を電波の受信方向とするので、水平同期信
号がいろんなアレイアンテナで獲得できても迅速に電波の受信方向を決定することができ
る。
【００１７】
さらに、上記目的を達成するために請求項３の発明は、３６０°全方向に対して電波の
受信方向を切り替えることができるスマートアンテナを介してチューナ部より地上波アナ
ログテレビ放送の放送電波を受信、復調し、前記チューナ部で受信、復調し、デコーダ部
にて復号化して映像及び音声の信号を表示装置に出力する受信装置におけるスマートアン
テナの受信方向の検索方法において、受信チャンネルを切り替え、該各受信チャンネルご
とに等中心角度間隔で１６方向の水平同期信号を獲得し、前記アレイアンテナで前記水平
同期信号を連続して獲得できた領域の中心角を二等分する方向を前記受信チャンネルでの
電波の受信方向とするものであり、前記水平同期信号を連続して獲得できる領域が２箇所
以上存在するときは、最も大きな中心角を二等分する方向を前記受信チャンネルでの電波
の受信方向とすることを特徴とするスマートアンテナの受信方向の検索方法を提供する。
【００１８】
この構成によると、スマートアンテナの電波の受信方向を決定するのに１６個のアレイ
アンテナそれぞれで水平同期信号が獲得できるか否かを調べていき、その水平同期信号を
連続して獲得できた領域の中心角の二等分する方向を電波の受信方向とするものであり、
各受信チャンネルの電波の受信方向を迅速に決定することができる。
【００１９】
水平同期信号は放送電波に含まれているものであり、水平同期信号が広い範囲で獲得で
きる方向に電波の発信部があると考えても問題なく、その中心を電波の受信方向とするこ
とである程度きれいな映像を受信することができる。
【００２０】
また、水平同期信号が連続して獲得できた領域が複数ある場合、その獲得できた領域の
中心角度が大きい方の中心角を二等分する方向を電波の受信方向とするので、水平同期信
号がいろんなアレイアンテナで獲得できても迅速に電波の受信方向を決定することができ
る。
【００２１】
また、上記目的を達成するために請求項４の発明は、３６０°全方向に対して電波の受
信方向を切り替えることができるスマートアンテナを介してチューナ部より地上波アナロ
グテレビ放送の放送電波を受信、復調し、前記チューナ部で受信、復調し、デコーダ部に
て復号化して映像及び音声の信号を表示装置に出力する受信装置におけるスマートアンテ
ナの受信方向の検索方法において、
受信チャンネルを切り替え、該各受信チャンネルごとに等中心角度間隔で複数の方向の
水平同期信号を獲得し、前記アレイアンテナで前記水平同期信号を連続して獲得できた領
域の中心角を二等分する方向を前記受信チャンネルでの電波の受信方向とするものであり
、前記水平同期信号を連続して獲得できる領域が２箇所以上存在するときは、最も大きな
中心角を二等分する方向を前記受信チャンネルでの電波の受信方向とすることを特徴とす
るスマートアンテナの受信方向の検索方法を提供する。
【００２２】
この構成によると、スマートアンテナの電波の受信方向を決定するのに複数のアレイア
ンテナそれぞれで水平同期信号が獲得できるか否かを調べていき、その水平同期信号を連
続して獲得できた領域の中心角の二等分する方向を電波の受信方向とするものであり、各
受信チャンネルの電波の受信方向を迅速に決定することができる。
【００２３】
水平同期信号は放送電波に含まれているものであり、水平同期信号が広い範囲で獲得で
きる方向に電波の発信部があると考えても問題なく、その中心を電波の受信方向とするこ
とである程度きれいな映像を受信することができる。
【００２４】
また、水平同期信号が連続して獲得できた領域が複数ある場合、その獲得できた領域の
中心角度が大きい方の中心角を二等分する方向を電波の受信方向とするので、水平同期信
号がいろんなアレイアンテナで獲得できても迅速に電波の受信方向を決定することができ
る。
【発明の効果】
【００２５】
本発明によると、地上はアナログ放送のきれいな映像を受信できる電波の受信方向を迅
速に検索することができる受信装置及びスマートアンテナの受信方向の検索方法を提供す
ることができる。
【発明を実施するための最良の形態】
【００２６】
以下に本発明の実施形態を図面を参照して説明する。図１に本発明にかかるスマートア
ンテナにて電波を受信する受信装置の概略配置図を示す。図１に示す受信装置Ｒは、スマ
ートアンテナＳＡを介して地上波テレビ放送の放送電波を受信し、復調するチューナ部１
と、チューナ部１にて復調された信号を復号化するデコーダ部２と、各種情報を格納する
ための記憶部３と、受信装置Ｒの全体を制御する制御部４とを備えている。
【００２７】
スマートアンテナＳＡは等中心角度間隔で放射状に配置された１６個のアレイアンテナ
ｓ１〜ｓ１６と、１６個のアレイアンテナｓ１〜ｓ１６の切り替えを行うコントローラＳ
ｃとを備えている。コントローラＳｃは受信装置Ｒの制御部４と接続しており、制御部４
からの指令によって、電波を受信する受信アンテナを１６個のアレイアンテナｓ１〜ｓ１
６より選択的に切り替え、チューナ部１と接続する。
【００２８】
チューナ部１は、地上波アナログテレビ放送を受信、復調可能であり、デコーダ部２は
チューナ部１より送られてくるアナログ放送信号を復号化する。デコーダ部２で復号化さ
れた放送信号は外部の映像装置５（ここではＴＶ５）に送られ、映像及び音声が表示され
る。制御部４は上述したスマートアンテナＳＡのコントローラＳｃと接続していると共に
、チューナ部１、デコーダ部２、記憶部３とも接続している。図中実線は電波、信号、デ
ータが移動しており、点線は制御信号が流れている。
【００２９】
図２にスマートアンテナの各アレイアンテナの配置方向を示す。アレイアンテナｓ１〜
ｓ１６はそれには限定されないがここでは等中心角度間隔で放射状に１６個配置されてい
る。このとき、北向きのアレイアンテナｓ１に番号１をつけ、時計回りに順に番号をつけ
る。すなわち、アレイアンテナｓ１は番号１で北向きであり、順にアレイアンテナｓ２は
番号２で北北東、アレイアンテナｓ３は番号３で北東、・・・、アレイアンテナｓ１６は
番号１６で北北西の順に番号と方向が関連付けられている。
【００３０】
図３（Ａ）、（Ｂ）にスマートアンテナの電波の受信方向を決定するときのスマートア
ンテナの水平同期信号の獲得状態を、図４にスマートアンテナの電波の受信方向の決定手
順のフローチャートを示す。図３（Ａ）、（Ｂ）に示す小さい円は各アレイアンテナの中
心からの方向を示している。
【００３１】
地上波アナログテレビ放送には水平同期信号が含まれている。水平同期信号を基準にし
て水平走査のタイミングを決定するので、該水平同期信号が獲得できるときは映像を出力
することが可能である。
【００３２】
図３（Ａ）に示す受信状態では、番号９のアレイアンテナｓ９から番号１６のアレイア
ンテナｓ１６までのアレイアンテナに切り替えたときに水平同期信号が獲得されており、
この水平同期信号を連続して獲得できた領域の中心角を二等分する方向が電波の受信方向
である。ここでは、番号9のアレイアンテナｓ９が南向きであり、番号１６のアレイアン
テナｓ１６が北北西に向いているので、その中間である図中矢印ａｒ１で示す方向が電波
の受信方向である。
【００３３】
電波の受信方向の決定手順は以下に示すとおりである。まず、チューナ部１で受信チャ
ンネルを選択する（ステップＳ１）。アレイアンテナを指定するパラメータｎに１を入力
する（ステップＳ２）。制御部４にてコントローラＳｃを駆動し、チューナ部１と接続す
るアレイアンテナを番号ｎのアレイアンテナにして水平同期信号を獲得する（ステップＳ
３）。番号ｎのアレイアンテナで水平同期信号を獲得することができたかどうかを制御部
４に接続された記憶部３に格納する（ステップＳ４）。
【００３４】
ｎが１６よりも小さいかどうか判別する（ステップＳ５）。ｎが１６よりも小さいとき
（ステップＳ５でＹＥＳのとき）、現在のｎの値に１を加え（ステップＳ６）、ステップ
Ｓ３に戻る。ｎが１６以上になったとき（ステップＳ５でＮＯのとき）、水平同期信号を
連続して獲得することができた領域の中心角の二等分方向（図３（Ａ）参照）に電波の受
信方向を決定し、記憶部３に格納する（ステップＳ７）。
【００３５】
受信可能なチャンネルのうち電波の受信方向を検索していないチャンネルが残っている
かどうか判別する（ステップＳ８）。受信可能チャンネルのうちで、電波の受信方向を決
定していないチャンネルがあるとき（ステップＳ８でＹＥＳのとき）、受信チャンネルを
切り替えて（ステップＳ９）、ステップＳ２に戻る。電波の受信方向を決定していないチ
ャンネルがないとき（ステップＳ８でＮＯのとき）、電波の受信方向の決定を終了する。
【００３６】
通常、電波は一方向より入射してくるので図３（Ａ）に示すように水平同期信号が連続
して獲得できる領域は全周のうち１箇所である。ところが、電波は反射や屈折によって正
しい入射方向とは異なる方向より入射される場合がある。このとき、図３（Ｂ）に示すよ
うに、水平同期信号が連続して獲得できる領域が複数（ここでは２箇所）存在する。この
場合放送局や電波塔等の電波の発信場所に向いている方が広い範囲で水平同期信号を獲得
できるものであり、連続して獲得できる領域の中心角度が大きい方の領域を電波の正しい
入射方向に向いていると判断する。
【００３７】
図３（Ｂ）に示す獲得状態では、番号６のアレイアンテナｓ６から番号９のアレイアン
テナｓ９までの間に配置されるアレイアンテナで水平同期信号を連続して獲得している領
域を形成している。また、番号１１のアレイアンテナｓ１１から番号２のアレイアンテナ
ｓ２までの間に配置されるアレイアンテナで水平同期信号を連続して獲得している領域を
形成している。
【００３８】
図３（Ｂ）を見ればわかるように、番号１１のアレイアンテナｓ１１から番号２のアレ
イアンテナｓ２までの間の領域の方が、番号６のアレイアンテナｓ６から番号９のアレイ
アンテナｓ９までの間の領域よりも中心角度が大きいので、番号１１のアレイアンテナｓ
１１から番号２のアレイアンテナｓ２までの間の領域の中心角を二等分する方向（矢印ａ
ｒ２で示す方向）が電波の受信方向となる。
【００３９】
このことを考慮して、図５に図４に示すフローチャートのステップＳ７のより詳細な電
波の受信方向の決定手順を示す。まず、記憶部３に格納されている各アレイアンテナｓ１
〜ｓ１６での水平同期信号の獲得状況を取り出す（ステップＳ７１）。取り出された各ア
レイアンテナでの水平同期信号の獲得状況をもとに、水平同期信号を連続して獲得できた
領域を検出する（ステップＳ７２）。
【００４０】
水平同期信号を連続で獲得できた領域が複数あるかどうか判別する（ステップＳ７３）
。水平同期信号が連続で獲得できた領域が複数あるとき（ステップＳ７３でＹＥＳのとき
）、複数の領域のうち中心角度が最大の領域を電波の受信方向を有する領域として選択す
る（ステップＳ７４）。
【００４１】
水平同期信号が連続で獲得できた領域が１つのとき（ステップＳ７３でＮＯの場合）又
はステップＳ７４で電波の受信方向を有する領域を決定した後、水平同期信号を連続して
獲得できた領域の中心角を二等分する方向を電波の受信方向と決定し、記憶部３に格納す
る（ステップＳ７５）。
【００４２】
このように水平同期信号を連続して獲得できる領域から、スマートアンテナＳＡの電波
の受信方向を決定する場合、水平同期信号は短時間で獲得できるので、各チャンネルごと
の電波の受信方向を迅速に決定することができる。
【００４３】
上述の実施例において、スマートアンテナＳＡのアレイアンテナの数が１６個のものを
例に説明しているが、それに限定されるものではなく、さらに多くのアレイアンテナを有
していてもよく、少ないアレイアンテナを有していてもよい。アレイアンテナの数が多い
と、電波の受信方向の決定に時間がかかるが、電波の受信方向をより高精度で決定するこ
とができる。アレイアンテナの数が少ないと、電波の受信方向の精度は落ちるが、電波の
受信方向の検索開始から決定までの時間を短縮することができる。
【図面の簡単な説明】
【００４４】
【図１】本発明にかかるスマートアンテナにて電波を受信する受信装置の概略配置図である。
【図２】スマートアンテナの各アレイアンテナの配置方向を示す図である。
【図３】図（Ａ）、（Ｂ）はスマートアンテナの電波の受信方向を決定するときのスマートアンテナの水平同期信号の獲得状態を示す図である。
【図４】本発明にかかるスマートアンテナの受信方向の検索方法を用いたスマートアンテナの電波の受信方向の決定手順のフローチャートである。
【図５】図４に示す手順の詳細部の手順を示すフローチャートである。
【符号の説明】
【００４５】
Ｒ  受信装置
１  チューナ部
２  デコーダ部
３  記憶部
４  制御部
５  映像装置（ＴＶ）
ＳＡ  スマートアンテナ
Ｓｃ  コントローラ
ｓ１〜ｓ１６  アレイアンテナ
【図１】
2005354435.tif 000003
【図２】
2005354435.tif 000004
【図３】
2005354435.tif 000005
【図４】
2005354435.tif 000006
【図５】
2005354435.tif 000007